(57)【要約】      （修正有）【課題】短いパッド上の指移動操作にて、大きいカーソル移動と小さいカーソル移動を使い分け、大きい画面スクロールと小さい画面スクロールを使い分ける使い勝手に優れた利便性が高いタッチパッド入力装置を提供する。【解決手段】パソコン３用のタッチパッドの基本構成であるタッチパッドのセンサーと座標や移動量検知の為の走査・駆動・制御回路に加え、回転又はスライド式の移動量切替え用のレバー７と移動量切替え回路とレバー位置検知用光学センサーを追加し、左手でレバー位置を制御しカーソル移動量や画面のスクロール移動量を可変しつつ、タッチパッド上の指移動によりカーソルの座標の移動量を検知する。【選択図】図１
0003144189.tif 000002
【実用新案登録請求の範囲】
【請求項１】
ノートパソコンの手前部に露出部を設け露出させた一定角度回転可能なレバーとその角度の角度検知用のホトセンサーとＬＥＤを組み合わせると共にタッチパッドセンサーとセンサー走査制御管理Ｉ／Ｆ回路、移動量可変回路、座標記録用メモリー、左右クリックボタンにて構成されるタッチパッド入力装置に於いて、片手の指で当該レバーを左右一方の終端位置のニュートラルレバー位置から回転させつつ、タッチパッド上の指の移動に応じた液晶画面上のカーソル移動量を、回転させたレバー角度に応じて多段階で可変可能にする事により、環境設定の変更を行わずに、レバー操作でカーソルの移動量を簡便に切り替え、スピーディなポインティングを実現する事を特徴とするノートパソコンや携帯型情報機器用のタッチパッド入力装置。
【請求項２】
ノートパソコンの手前部に露出部を設け露出させた一定位置スライド移動可能なレバーとその移動の位置検知用のホトセンサーとＬＥＤをペアで組み合わせると共にタッチパッドセンサーとセンサー走査制御管理Ｉ／Ｆ回路、移動量可変回路、座標記録用メモリー、左右クリックボタンにて構成されるタッチパッド入力装置に於いて、片手の指で当該レバーを左右一方の終端のニュートラル位置からレバー位置を移動させつつ、タッチパッド上の指の移動に応じた液晶画面上のカーソル移動量を、スライド移動したレバー移動量に応じて多段階で可変可能にする事により、環境設定の変更を行わずに、レバー操作でカーソルの移動量を簡便に切り替え、スピーディなポインティングを実現する事を特徴とするノートパソコンや携帯型情報機器用のタッチパッド入力装置。
【請求項３】
請求項１記載の構成のタッチパッド入力装置に於いて、片手の指で当該レバーを左右一方の終端のニュートラル位置から回転させ、タッチパッド上の指を移動すると表示画面のスクロール移動量を、回転させたレバー角度に応じて、環境設定の変更を行わずに、多段階で可変可能な事を特徴とするノートパソコンや携帯型情報機器用タッチパッド入力装置。
【請求項４】
請求項２記載の構成のタッチパッド入力装置に於いて、片手の指で当該レバーを左右一方の終端のニュートラル位置からスライド移動させ、タッチパッド上の指を移動すると表示画面のスクロール移動量を、移動したレバー移動量に応じて環境設定の変更を行わずに、多段階で可変可能な事を特徴とするノートパソコンや携帯型情報機器用のタッチパッド入力装置。
【請求項５】
請求項１記載の構成のタッチパッド入力装置に於いて、片手の指で当該レバーを左右一方の終端のニュートラル位置から回転させつつ、指でタッチパッド周辺部に配置されたホイール回転体を回転させ、レバー角度に応じて表示画面のスクロール移動量を環境設定の変更を行わずに、多段階で可変可能な事を特徴とするノートパソコンや携帯型情報機器用タッチパッド入力装置。
【請求項６】
請求項２記載の構成のタッチパッド入力装置に於いて、片手の指で当該レバーを左右一方の終端のニュートラル位置からスライドさせ、指でタッチパッド周辺部に配置されたホイール回転体を回転させ、レバー位置に応じて表示画面のスクロール移動量を環境設定の変更を行わずに、多段階で可変可能な事を特徴とするノートパソコンや携帯型情報機器用タッチパッド入力装置。
【考案の詳細な説明】
【技術分野】
【０００１】本考案は、ノートパソコン用のポインティングデバイス入力装置に関するものである。
【背景技術】
【０００２】現在、ノートパソコンは、表計算やメール作成や文書作成等に利用され、営業マンの支援ツールとして、またビジネスマンの限られたデスクスペースの有効活用ツールとして利用されている。
これらのノートパソコンでは、マウスを接続せずにノートパソコンの前面に配置されたタッチパッドをポインティングデバイスとして利用されているケースも多い。特に出張や外出の多い営業マンには、タッチパッドが活用されている。
本考案は、タッチパッドの操作性の改善を追求した入力装置に関する技術です。
【考案の開示】
【考案が解決しようとする課題】
【０００３】現在、タッチパッドは、ユーザが指でパッドの上をタッチし、指を移動させ、その移動量を静電容量タッチパッドセンサーと走査制御検出Ｉ／Ｆ回路にて変化をとらえ、横の移動量
0003144189.tif 000003
の座標位置の変化を演算し、カーソル位置を移動させ、タッチパッドの周辺部に配置された右と左クリックを操作する事によりデスクトップパソコンに於けるマウスの基本操作を代行する。
タッチパッドセンサーは、モバイルツールとしての携帯性の実現の為、名刺又はやや大きいサイズである事から、液晶画面の左下角から右上角へカーソルを大きく移動する場合は、タッチパッドの左下角から右上角へ指で何回かパッドをタッチし指を移動させ離す作業を数回繰り返す必要があり、簡便とは言えない。
ノートパソコンの機種によっては、一定のタッチパッド上の指の移動量をより大きいカーソルの移動量に変換する様に環境設定が可能なシステムを採用している機種もある。この環境設定変更により、同じタッチパッド上の移動量を、より大きな移動に変換する事が可能です。しかしこの場合、カーソルの動き全体が大きく移動が粗くなり、微妙な細かいパッド上の指移動も比較的大きなカーソル移動に演算され、細かいカーソル移動には不向きとなる。
一方、タッチパッドの環境設定を細かい通常の使用環境にした状態の場合は、大きなカーソル移動を行う場合、何回か指でタッチし移動させ離す作業をする必要があり面倒である。また現在の大半のノートパソコンでは、同様の操作にてマウスの縦や横スクロールをタッチパッド操作にて実現できる機種がある。しかしこの場合も、大きいスクロールをする場合は、何回か指でタッチパッド上でタッチし移動させ離す作業を繰り返す必要があり、スクロールホイールを内蔵したマウスにの様にスマートな作業とは言えない。
よりスマートに短いパッド上の指移動操作にて、大きいカーソル移動と小さいカーソル移動を使い分け、大きい画面スクロールと小さい画面スクロールを使い分ける使い勝手に優れた利便性がノートパソコン等のモバイルツールに於いて求められている。
【課題を解決するための手段】
【０００４】本考案は、タッチパッド上の指位置移動に伴うｘ軸上の位置変量とｙ軸上の位置変量の情報を検知する為の静電容量センサーと縦横方向のセンサー走査制御回路、座標位置を検知と記憶回路、ＣＰＵへの座標位置情報の伝達回路と移動量可変回路を含む制御情報処理Ｉ／Ｆ回路と右左クリックボタンから構成されるノートパソコン用のタッチパネル入力装置に於いて、パソコンの手前位置に設置した右方向へスライド又は回転するレバーと移動量の切り替え回路を設置する事により、一元的な環境設定の変更なしに、カーソルの移動量やスクロール移動量を自由自在にレバー操作にて可変するものです。
当該レバーには、レバーの位置を光学的に検知する為のバー情報をマーキングし、２個の位相の異なる反射式のホトインターラプターを組み合わせ、レバー位置を光学的手段で検知するものです。
レバーから指を離した場合、具備されたバネにより通常のニュートラル位置に戻るレバーを組み込みます。
更にレバーの左端の位置のニュートラル位置では、タッチパッド上の一定距離の指移動が、小さいなカーソル移動に変換され、左手で右方向へレバーを加圧し、多段階式に移動する事により、その位置に応じてより大きなカーソル移動量にカウントする移動量可変回路を内蔵するものです。
この事により、大きくカーソルを移動させたい場合は、レバーを右端にいっぱいに押しつつ、タッチパッド上の指を移動させると、大きなカーソル移動をする事が可能となります。その直後に細かいカーソル移動を行う場合は、レバーを左端へ左手で戻し、より少ない移動量に換算し微妙な検知を行える。またレバーを中間的な位置に戻すと中間的なカーソル移動量を検知可能にするものです。
大きなカーソル移動を利用しないユーザは、レバーをニュートラル位置にした状態で利用するものです。
更にノートパソコンは、文書作成やＨＰ閲覧や表計算等にも利用されており、画面を下や左右へスクロールに際しては、本考案のレバーを操作しつつ、指によるスクロール指示をタッチパッド上の指を移動させることより、大きいスクロール量と中程度のスクロール量と細かいスクロール量を自由自在に環境設定の変更なしにレバー一本の操作にて切替え制御可能にするものです。
更に一部のスクロール用ホイール回転体２３をタッチパッド周辺部に配した構造のノートパソコンでは、エンコーダのパルスをレバーのスライド位置に応じて移動量を可変し、利便性を高めるものです。
【考案の効果】
【０００５】本考案のタッチパッドは、利用者が大きなスクロール移動量や小さいなスクロール移動量やその中間の移動量を環境の設定変更なしにレバー操作にて自由自在に可変可能にするものです。同時に一定のタッチパッド上の指移動によるカーソルの移動量についても、レバー操作で多段階式に制御するものです。
この事により縦に長いＨＰや文章の最後のページを速やかに閲覧したい場合、威力を発揮するものです。本考案のノートパソコンのタッチパッド周辺に配置された左右へ移動するスライド式又は回転式のレバーにより、大きなカーソル移動と微妙なカーソル移動とその中間の移動を切替え制御を可能にするものです。
【考案を実施するための最良の形態】
【０００６】本考案を実現するための最良の形態について説明します。本考案は、一直線上にスライド又は回転するレバーを配し、このレバー位置を制御しつつ、タッチパッド上での指移動を行う事によりカーソルの移動と画面の横と縦のスクロールを自由自在に制御し、ホイールマウスを接続できない環境下の移動中や移動先で、モバイルツールとして営業マンを支援するものです。
【実施例】
【０００７】図２タッチパッド入力装置の具体的な実施例について説明します。本考案のタッチパッド入力装置は、回転式又はスライド式のレバーを操作しつつ、タッチパッド上の指を任意の方向へ、任意の軌道で移動させる事により、縦横スクロール量やカーソルの移動量を切り替えつつ、スマートでスピーディな移動を実現するものです。
【図面の簡単な説明】
【０００８】
【図１】本考案のノートパソコンとタッチパッド入力装置の外観図
【図２】本考案のタッチパッド入力装置を採用したノートパソコンの上からの外観図
【図３】本考案のタッチパッド入力装置を含むノートパソコンのブロック回路図
【図４】本考案のタッチパッド入力装置を採用したノートパソコンの上からの断面図
【図５】本考案のタッチパッド入力装置のレバーの位置検知用バー情報とセンサーの外観図
【図６】本考案のタッチパッド入力装置と液晶画面上の細かいカーソル移動をした場合の外観図
【図７】本考案のタッチパッド入力装置と液晶画面上の大きな移動の後、細かいカーソル移動をした場合の外観図
【図８】本考案のタッチパッド入力装置と液晶画面上の大きなカーソル移動した後、中間程度のカーソル移動をした場合の外観図
【図９】本考案のノートパソコン前部のタッチパッド入力装置のスライド式レバーと光学式位置センサーの構造を示す上から見た外観図
【図１０】本考案のノートパソコン前部のタッチパッド入力装置のスライド式レバーと光学位置センサーの構造を示す上から見た外観図
【符号の説明】
【０００９】１  ノートパソコンの表示部
２  液晶モジュール
３  ノートパソコン本体
４  ＱＷＥＲＴＹキーボード
５  タッチパッドセンサー部
６  左右クリックボタン
７  レバー
８  回転式のレバー最大位置、カーソルとスクロール移動量最大
９  回転式レバーのニュートラル位置、手を離すとこの位置にバネで戻る、カーソル移動量は最小
１０  カーソル移動量が中間レベルのレバー位置
１１  レバー回転軸
１２  レバーの位置検知用のバー情報
１３  反射型のホトセンサー、ホトインターラプター
１４  レバー上に印刷された位置検知用バー情報
１５  位相の異なる位置検知用ホトセンサー
１６  タッチパッドを左下角から右上角へ大きく指でタッチし移動した移動先
１７  レバー位置が左端の時タッチパッド上の指を大きく移動した場合のｙ軸上の移動量
１８  レバー位置が左端の時タッチパッド上の指を大きく移動した場合のｘ軸上の移動量
１９  レバー位置が右端の時タッチパッド上の指を大きく移動した場合のｙ軸上の移動量
２０  レバー位置が右端の時タッチパッド上の指を大きく移動した場合のｘ軸上の移動量
２１  レバー位置が左端の時タッチパッド上の指を大きく移動した場合のカーソル移動
２２  レバー位置が中間位置の時タッチパッド上の指を移動した場合のカーソル位置先
２３  画面のスクロールの為の回転体ホイール
２４  ホトダイオード又はホトトランジスター
２５  スライド式のレバー
２６  ＬＥＤ
２７  人の指
【図１】
0003144189.tif 000004
【図２】
0003144189.tif 000005
【図３】
0003144189.tif 000006
【図４】
0003144189.tif 000007
【図５】
0003144189.tif 000008
【図６】
0003144189.tif 000009
【図７】
0003144189.tif 000010
【図８】
0003144189.tif 000011
【図９】
0003144189.tif 000012
【図１０】
0003144189.tif 000013